(57)【特許請求の範囲】
【請求項１】
化粧面の上側に壁材を配設して天井材を形成する金属製の天井化粧材の製造方法であって、
化粧面に複数の矩形状の開口部が形成される加工を行い、前記加工により離反した矩形状の金属板材が、屋根構造に用いられる副資材として用いられることを特徴とする天井化粧材の製造方法。
【請求項２】
屋根構造に用いられる副資材は、継手捨板又は外装材用保持部材であることを特徴とする請求項１に記載の天井化粧材の製造方法。
【発明の詳細な説明】
【技術分野】
【０００１】
本発明は、屋根天井構造を構成する天井化粧材の製造に関し、その製造コストを低減化し、廃材の産出を最小限に抑えることができ、省エネルギーや省資源の観点からも多大な貢献を果たす天井化粧材の製造方法に関する。
【背景技術】
【０００２】
従来、建築物の天井には、各種の断熱材などの壁材が用いられ、その室内側に化粧材を配設した構造が一般的に採用されている。この化粧材としては、各種鋼板などの金属製板材が用いられ、直径が数ｍｍ〜数ｃｍ程度の各種形状の孔が無数に穿設されたパンチングメタルと呼ばれる板材が用いられている。
【発明の開示】
【発明が解決しようとする課題】
【０００３】
前記天井用の化粧材における孔を形成することにより、その孔に応じた多数の抜き片が生ずるが、この抜き片は、前述のように数ｍｍ〜数ｃｍ程度の小径であるため、有効利用する用途がなく、廃材となっていた。そして、廃材となった多数の抜き片は、産業廃棄物処理業者にて加熱溶融して各種の金属成形品としてリサイクルが図られたりしているが、その際に加工のためのコストやエネルギー消費は避けられない。そのため、特に近年の金属板材の価格高騰により、天井や建築物全体の原材料費が高くなっている現状では、前述のような廃材の形成は、極めて望ましくない現状である。
そこで、本発明は、前記の問題点を解消できる天井化粧材の製造方法を提供することを目的とする。
【課題を解決するための手段】
【０００４】
本発明は、上記に鑑み提案されたもので、化粧面の上側に壁材を配設して天井材を形成する金属製の天井化粧材の製造方法であって、化粧面に複数の矩形状の開口部が形成される加工を行い、前記加工により離反した矩形状の金属板材が、屋根構造に用いられる副資材として用いられることを特徴とする天井化粧材の製造方法に関するものである。
【０００５】
また、本発明は、前記天井化粧材の製造方法において、屋根構造に用いられる副資材は、継手捨板又は外装材用保持部材であることを特徴とする天井化粧材の製造方法をも提案する。
なお、前記天井化粧材の化粧面から離反した矩形状の金属板材を継手捨板として用いる場合には、勿論必要に応じて矩形状の金属板材を継手捨板としての構成（形状）を有するように加工する操作を必要とするものの、天井化粧材と継手捨板の製造方法と言い換えることもできる。
同様に、前記天井化粧材の化粧面から離反した矩形状の金属板材を外装材用保持部材として用いる場合には、勿論必要に応じて矩形状の金属板材を外装材用保持部材としての構成（形状）を有するように加工する操作を必要とするものの、天井化粧材と外装材用保持部材の製造方法と言い換えることもできる。
【発明の効果】
【０００６】
本発明の天井化粧材の製造方法は、天井化粧材を製造できると同時に、屋根構造に用いられる副資材として用いられる矩形状の金属板材を生産できるものであって、従来のパンチングメタルにおける抜き片が一切生じないので、廃材の産出に関わる処理を必要としないため、製造コストを低減化することができる。
また、廃材の産出を最小限に抑えることができるので、産業廃棄物処理業者におけるリサイクルに関わる処理も必要としないため、省エネルギーや省資源にも貢献する。
さらに、外装材の接続部材として、従来は新たな金属板材を加工して製造していたので、その原材料コストを必要ないものとすることができる。
【０００７】
また、屋根構造に用いられる副資材が継手捨板である場合、前記製造方法にて生産された矩形状の金属板材の側縁などに簡易な加工を施すことにより継手捨板として用いることができるため、加工費用を極めて低減化できる。
【０００８】
さらに、屋根構造に用いられる副資材が外装材用保持部材である場合、前記製造方法にて生産された矩形状の金属板材に適宜に曲げ加工を施すことにより外装材用保持部材として用いることができるため、加工費用を極めて低減化できる。
【発明を実施するための最良の形態】
【０００９】
本発明の天井化粧材の製造方法は、化粧面に複数の矩形状の開口部が形成される加工を行うものであって、従来のパンチングメタルが前述のように直径が数ｍｍ〜数ｃｍ程度の各種形状の孔を形成しているのに対し、縦横がそれぞれ十数ｃｍ以上の開口部を形成するものである。
【００１０】
この天井化粧材は、例えば所定の厚みに成形された長尺の金属板材をロール巻に供給されたものを成形用原材料とし、長さ方向に一定速度で繰り出しながら、所定長さでの断裁加工を行い、必要に応じて側縁部や長さ方向端部の加工を施すが、その際に一辺が原反の長さ方向に沿い、他の一辺が長さ方向に直交する方向に切断加工を行って複数の矩形状の開口部が形成されるように加工することが望ましい。
【００１１】
また、この天井化粧材としては、金属板材の材質や板厚、或いは色調等の装飾に関しても特に限定するものではなく、例えば各種のメッキ鋼板やステンレス鋼板、或いは表面化粧鋼板、ラミネート鋼板、アルミ合金板、チタン合金板等の公知の金属素材を用いることができる。
そして、例えばこの天井化粧材の上方側に組み合わされる壁材に応じて、或いは建築様式や躯体構造にも影響され、例えば強度面に関しては、ある程度の強度が必要な場合も、殆ど強度を求められない場合もある。例えば色調に関しては、他の各種の室内建材との組み合わせや嗜好により、様々な種類のものが用いられる。このように、その板厚や材質、色調を適宜に選択して用いればよい。
【００１２】
前記天井化粧材と組み合わせて天井材を形成する壁材としては、特に限定されるものではないが、前述のように縦横がそれぞれ十数ｃｍ以上の開口部において変形して室内側に突出したり落下することがない程度に硬質のものが用いられ、断熱性、マイナスイオン発生機能、吸音性、遮音性、防耐火性等の特性を有するどのような公知の壁材を用いてもよい。また、二層構造の壁材を用いてもよく、その場合、強度の高い壁材を下層に用いることが好ましいが、特に下層に強度の低い壁材を用いる場合には、両者を予め接着して一体の壁材とすればよい。
【００１３】
前述の複数の矩形状の開口部が形成される加工により、複数の矩形状の金属板材が本体（天井化粧材）から離反し、この金属板材を屋根構造に用いられる副資材として用いられる。
この屋根構造に用いられる副資材としては、例えば屋根構造内部に配される外装材の接続部材、より詳しくは横葺き外装構造における外装材の桁行き方向の端部の接続に用いられる継手捨板や縦葺き外装構造における外装材の左右方向の端部の接続（下地への取付）に用いられる外装材用保持部材として用いてもよいし、面戸部材、水切り、ケラバ包み等の各納め部材として、或いは各種の補強（用）部材、各種の連結（用）部材などがある。
【００１４】
前記天井化粧材の化粧部から離反した矩形状の金属板材を継手捨板として用いる場合、前述のように、原材料である天井化粧材として各種の板厚、材質、色調を有するものが用いられているが、この継手捨板の機能は、それらの条件（板厚、材質、色調）に影響を受けないため、支障を生じることなく適用される。
【００１５】
前記天井化粧材の化粧部から離反した矩形状の金属板材を外装材用保持部材として用いる場合、好適な態様として、以下の第１の態様、第２の態様がある。
【００１６】
第１の態様として、縦葺き外装材の側縁成形部を保持する保持部を備える起立部と、該起立部の下端から少なくとも左右の何れか一方に延在して下地上に沿わせる横片部である固定部とからなり、前記固定部に、少なくとも負圧作用時に一方側に配される縦葺き外装材の動きを規制する固定具を打ち付けて下地上に固定する。この外装材用保持部材は、保持部にて縦葺き外装材の左右の側縁成形部を保持すると共に、強風等による負圧作用時には、前記固定具によって縦葺き外装材の動きを規制するので、縦葺き外装材が外れたりすることがなく、安定に取り付け保持することができる。
【００１７】
第２の態様として、縦葺き外装材の側縁成形部を保持する保持部を備える起立部と、該起立部の下端から左右の一方に延在して下地上に沿わせる横片部である固定部と、他方に延在して下地上に沿わせる第二横片部とからなり、前記第二横片部に表面側へ屈曲して他方側に配される縦葺き外装材に係止される被係止部を設けると共に、前記固定部に、固定具を打ち付けて下地上に固定する。この外装材用保持部材は、保持部にて縦葺き外装材の左右の側縁成形部を保持すると共に、強風等による負圧作用時には、前記被係止部によって縦葺き外装材の動きを規制するので、縦葺き外装材が外れたりすることがなく、安定に取り付け保持することができる。また、この外装材用保持部材は、負圧作用時以外にも、保持部と被係止部にて縦葺き外装材を保持するので、縦葺き外装材をより確実に安定に取り付け保持されるものとなる。
【００１８】
すなわち前記第１の態様では、一方側の固定部に固定具を打ち付けて該固定具により縦葺き外装材の動きを規制するものであり、前記第２の態様では、他方側の第二横片部に係止部を設けて該係止部により縦葺き外装材の動きを規制するものであり、これらの第１の態様と第２の態様とを組み合わせてもよい。その場合には、前記固定具と前記被係止部が何れも負圧作用時に他方側の縦葺き外装材の動きを規制するため、負圧作用時の取付安定性は極めて高いものとなる。
【００１９】
また、前記外装材用保持部材において、保持部は、波形状であることが望ましく、縦葺き外装材の側縁成形部を保持する際の当接面が大きくなり、より確実に保持することができる。
【実施例１】
【００２０】
図１（ａ）に示す天井構造では、天井化粧材１は、リップ付きＣ型鋼である母屋２，２間に架け渡され、その化粧面１１の上側に木毛セメント板からなる断熱材であるボード状の壁材３が配されて天井材を形成している。
そして、上記天井化粧材１の化粧面１１には、複数の矩形状の開口部１２が形成され、この開口部から離反した（切り離した）矩形状の金属板材４が、継手捨板として用いられる。
【００２１】
この実施例の天井化粧材１では、縦横がそれぞれ十数ｃｍ以上（図示実施例では縦１５０ｍｍ，横２８４ｍｍ）の矩形状の開口部１２を形成するように設定されたものであり、図１（ｂ）に示すように、開口部１２は縦横に並列する碁盤目状に形成され、合計１８枚の金属板材４が生産される。
また、図１（ｃ）に示す天井化粧材１'では、同寸法の開口部１２'は千鳥格子状に形成され、合計１７枚の金属板材４（と半分サイズの２枚の板材）が生産される。
これらの開口部１２，１２'は、縦横が原反（原材料である長尺な金属板材）の長さ方向及びそれに直交する方向に沿うものであるため、これらの開口部１２，１２'を形成するための切断加工が例えばロールフォーミングにスリット用刃を組み込むことにより容易に実施できる。
これらの天井化粧材１，１'では、金属板材４が１８枚，１７枚生産されるので、生産効率としては、開口部１２を碁盤目状に形成する天井化粧材１が有利であるが、金属板材４を切り離した化粧面１１，１１'は、天井化粧材１では縦横の枠状となり、天井化粧材１'では千鳥格子状の枠状となるから、強度的（耐湾曲性など）には天井化粧材１'が有利である。
【００２２】
開口部の形成方法は前記に限定されるものではなく、例えば図２（ｂ）に示すように、長さ方向に対し、傾斜方向に開口部１２"が並列するように形成してもよい。
この天井化粧材１"では、前述のように長さ方向に対して斜めに開口部１２"が並列するように形成され、合計１４枚の金属板材４が生産される。
そして、この天井化粧材１"は、前記図１の天井化粧材１，１'と比較して金属板材４の生産効率も悪いし、開口部１２"を形成するための切断加工も複雑となるが、長さ方向に直交する撓み耐性には最も優れ、意匠性の点でも優れている。
【００２３】
図示実施例の天井化粧材１（〜１"）は、リップ付きＣ型鋼である母屋２，２間に架け渡される構成であって、一方の側縁には、化粧面１１の側縁を立ち上げ、その上端を折り返した掛止部１３が設けられ、他方の側縁には、化粧面１１の側縁を立ち上げ、その上端を略垂直状に折り曲げ、外方側へ略水平状に延在させた重合部１４が設けられている。
そして、天井化粧材１の掛止部１３を、母屋２の下フランジ２２の先端に設けられた上向きリップ２２１に掛止させると共に、重合部１４を構造材２のウエブ部２１及び上フランジ２３の先端に重合状に沿わせて固定している。
なお、天井化粧材１（〜１"）の構成は、前記固定方法に限定されるものではなく、どのような公知の固定方法にて取り付けられるものでもよい。
【００２４】
なお、図１（ｂ），（ｃ）及び図２（ｂ）は、原反である金属板材を所定寸法にて断裁すると共に開口部１２，１２'，１２"を形成した状態を示すものであって、前記掛止部１３及び重合部１４を形成する以前の状態であるため、掛止部１３が形成される箇所を（１３）と示し、重合部１４が形成される箇所を（１４）と示し、それらの成形によって天井化粧材１，１'，１"となる半製品として各符号を括弧書きとした。
【００２５】
図３は、前記天井化粧材１を用いた横葺き外装構造を示すものであって、同図（ａ）は桁行き方向の断面を示し、同図（ｂ）は流れ方向の断面を示すが、Ｉ型鋼である梁５の上にＬ型アングル材である母屋受け２０を介してリップ付きＣ型鋼である母屋２が配設され、該母屋２，２間に天井化粧材１が架け渡され、その化粧面１１の上側に木毛セメント板からなるボード状の壁材３が配されて天井材を形成している。また、その上には発泡スチレン板からなる断熱材３Ｂが配されるが、前記壁材３とこの断熱材３Ｂとを併せた厚みは、母屋２の高さとほぼ同じであり、その上面を覆うようにアスファルトルーフィング５０が敷設されている。このアスファルトルーフィング５０の上面には、水流れ方向に沿うように垂木６が配され、該垂木６，６間に発泡スチレン板からなる断熱材５が配されている。そして、これらの垂木６Ａ及び断熱材６Ｂ上には横葺き外装材８を吊子７にて固定した横葺き外装構造が形成されている。なお、横葺き外装材８の裏面側には、バックアップ材８０が敷設されている。
【００２６】
図４は、前記天井化粧材１の化粧部１１から離反した矩形状の金属板材４を継手捨板４Ａとして用いる一例を示している。
この捨板４Ａは、同図（ｄ）に示すように面板部４１の左右にそれぞれ二条の隆起部４１１が形成され、同図（ｅ）〜（ｇ）に示すように中央よりやや棟側側が起きあがるように屈曲され、棟端を上方へ折り上げた棟側成形部４２、軒端を下方へ折り下げた軒側成形部４３が形成された構成である。また、棟側成形部４２及び面板部４１には、発泡ゴムからなる止水材４４が貼り付けられている。さらに、面板部４１の裏面側には、両面粘着テープ４５によってバックアップ材４６が貼り付けられている。
【００２７】
図５は、何れも前記天井化粧材１の化粧部１１から離反した矩形状の金属板材４を外装材用保持部材（以下、単に保持部材という）９Ａ〜９Ｃとして用いる例を示している。
図５（ａ），（ｂ）に示される保持部材９Ａは、前記第１の態様と前記第２の態様を組み合わせた例であり、図５（ｂ）に示すように矩形状の金属板材の下端から切り込み線を形成し、中央部分を一方側（右手前側）へ折曲して固定具９ｄ（抵抗部９d'）が固定される固定部９２とし、両端部分を他方側（図面では左奥側）へ折曲して被係止部９３１が設けられる横片部９３としている。固定部９２には、長さ方向の略中央に、固定具９ｄを挿通させるための孔９２１が設けられている。
また、起立部９１の上縁９６は、長さ方向の略中央で二分割され、側方に略三角状の折部９７が突出する略台形状に形成されている。そして、外装材８Ａの側縁成形部８２を保持する保持部９４を形成する際には、前記上縁９６を、一方側、他方側へ（左右方向へ）折曲して保持部９４とし、折部９７を外方へ折曲して被係合部９５とした。
なお、例えば保持部９４は、前記上縁９６に、断面が連続丸波状となるプレス加工を施し、保持部９４とした際に、側縁成形部８２に強固に押圧されるようにしてもよく、或いは両面フォーム型接着剤を介在させて保持するようにしてもよい。
【００２８】
前記実施例に用いられた縦葺き外装材（以下、単に外装材という）８Ａは、略水平面状の面板部８１の左右の側縁を略垂直状に立ち上げて起立片状の側縁成形部８２，８２を形成した構成であり、面板部８１の端部、即ち側面成形部８２の基端に下方へ窪む略Ｖ字状の凹状溝８３，８３が設けられ、さらにはその外側に上方へ段状に隆起する隆起部８４，８４が設けられる。
前記隆起部８４の裏面には、少なくとも負圧作用時に前記保持部材９Ｂの固定具９ｄの頭部の抵抗部９ｄ'が引っ掛かる係止部が設けられる。この係止部は、略√字状の隅部であって、前記保持部材９Ｂの抵抗部９ｄ'に係止するので、外装材８Ａが面板部８１方向へズレ動こうとする場合の抵抗となる。
また、前記隆起部８４の表面側には、後述するキャップ材８Ｂの当接部３３１が当接、詳しくは面状に接地する構成である。
【００２９】
前記実施例に用いられたキャップ材８Ｂは、前記外装材８Ａの左右の側縁成形部８２，８２間を覆う逆Ｖ字状の覆い部と、前記保持部材９Ｂの被係合部に係合させる内向き略く字状の係合部と、キャップ材８Ｂの敷設状態において左右に拡開状に傾斜する脚片と、を有する構成である。この脚片の下端には、前記外装材８Ａの隆起部８４に当接する当接部が形成され、この当接部は、図示実施例では面板部８１方向に延在する（略水平状に延在する）面状（面部）である。
【００３０】
図５（ｃ），（ｄ）に示される保持部材９Ｂは、前記第１の態様と第２の態様を組み合わせた例であり、図５（ｄ）に示すように矩形状の金属板材の下方部分を折り畳んで一方側（右手前側）へ折曲して固定具９ｄが固定される固定部９２Ｂとし、折り畳んだ残り部分を他方側（図面では左奥側）へ延在させて横片部９３Ｂとし、該横片部９３Ｂの先端を上方へ折曲して被係止部９３１を形成した。なお、それ以外の構成、並びに外装材８Ａ、キャップ材８Ｂについては前記実施例と全く同様であるから、図面に同一符号を付して説明を省略する。
【００３１】
図５（ｅ），（ｆ）に示される保持部材９Ｃは、前記第１の態様と第２の態様を組み合わせた例であり、前記保持部材９Ｂと同様に、図５（ｆ）に示すように矩形状の金属板材の下方部分を折り畳んで一方側（右手前側）へ折曲して固定具９ｄ（抵抗部９ｄ'）が固定される固定部９２Ｃとし、折り畳んだ残り部分を他方側（図面では左奥側）へ延在させて横片部９３Ｃとし、該横片部９３Ｃの先端を上方へ折曲して被係止部９３１を形成した。また、固定部９２Ｃには、折り畳んだ上辺の一部を切り起こして傾斜片状の被係止部９２３，９２３を設けた。この被係止部９２３，９２３は、図６（ａ）より明らかなように他方側の被係止部９３１と左右対称状に形成されたものとなる。そのため、この固定部９２Ｃには、一方側に配する外装材８Ａの係止部８５が係止する箇所（抵抗部９ｄ'、被係止部９２３，９２３）が合計三箇所に設けられている。なお、それ以外の構成、並びに外装材８Ａ、キャップ材８Ｂについては前記実施例と全く同様であるから、図面に同一符号を付して説明を省略する。
【図面の簡単な説明】
【００３２】
【図１】（ａ）本発明の天井化粧材の一例を示す側断面図、（ｂ）化粧部の一例を示す平面図、（ｃ）化粧部の他の一例を示す平面図である。
【図２】（ａ）本発明の天井化粧材の一例を示す側断面図、（ｂ）化粧部の他の一例を示す平面図である。
【図３】（ａ）本発明の天井化粧材を用いた横葺き外装構造の一例の桁行き方向を示す断面図、（ｂ）は流れ方向を示す断面図である。
【図４】（ａ）本発明の天井化粧材から離反した金属板材から成形した継手捨板の一例を示す平面図、（ｂ）Ｆ方向から見た矢視図、（ｃ）Ｇ方向から見た矢視図、（ｄ）Ａ−Ａ線における断面図、（ｅ）中心軸線における断面図、（ｆ）Ｂ−Ｂ線における断面図、（ｇ）Ｃ−Ｃ線における断面図、（ｈ）裏面側に貼り付けるバックアップ材及び両面粘着テープを示す平面図、（ｉ）バックアップ材の側面図、（ｊ）この継手捨板を組み込んだ横葺き外装構造の接続部分を示す断面図である。
【図５】（ａ）本発明の天井化粧材から離反した金属板材を外装材用保持部材として用いた縦葺き外装構造の要部を示す平面図、（ｂ）それに用いる保持部材を示す断面図、（ｃ）本発明の天井化粧材から離反した金属板材を他の外装材用保持部材として用いた縦葺き外装構造の要部を示す平面図、（ｄ）それに用いる保持部材を示す断面図、（ｅ）本発明の天井化粧材から離反した金属板材を他の外装材用保持部材として用いた縦葺き外装構造の要部を示す平面図、（ｆ）それに用いる保持部材を示す断面図である。
【符号の説明】
【００３３】
１，１'，１"  天井化粧材
１１，１'１，１１"  化粧面
１２，１２'，１２"  開口部
１３  掛止部
１４  重合部
２  母屋
２０  母屋受け
３  壁材
３Ｂ  断熱材
４  金属板材
４Ａ  捨板
４１  面板部
４２  棟側成形部
４３  軒側成形部
４４  止水材
４５  両面粘着テープ
４６  バックアップ材
５  梁
５０  アスファルトルーフィング
６Ａ  垂木
６Ｂ  断熱材
７  吊子
８  横葺き外装材
８０  バックアップ材
８Ａ  （縦葺き）外装材
８Ｂ  キャップ材
９Ａ〜９Ｃ  （外装材用）保持部材
【図１】
0004938729.tif 000002
【図２】
0004938729.tif 000003
【図３】
0004938729.tif 000004
【図４】
0004938729.tif 000005
【図５】
0004938729.tif 000006